(57)【要約】【課題】装飾機能や演出効果を高めた弾球遊技機を提供することを目的とする。【解決手段】遊技盤１０の前面１０Ｆに設けられる遊技構成部材１００として、枠状に形成され、遊技盤１０の前面１０Ｆにおける遊技領域ＰＡ内に設けられた枠部材１１０と、枠部材１１０の下枠内側辺部１１２を構成し、枠部材１１０に囲まれた内部空間１１０ａに入球した遊技球を左右に転動させる光透過性を有する転動面１３１ａが形成されたステージ部１３０と、シート状に成形され、所定意匠が印刷された表面１４０ａを転動面の裏面１３１ｅに沿わせて設けられたシート部材１４０と、を備えている。【選択図】図５
2008161359.tif 000002
【特許請求の範囲】
【請求項１】
前面に入賞装置を含む遊技構成部材が設けられて遊技領域が形成された遊技盤を有して構成され、前記遊技領域内に投入される遊技球が前記入賞装置に入賞したことに応じて遊技球を賞球として払い出す遊技を行う弾球遊技機において、
前記遊技構成部材として、
枠状に形成され、前記遊技盤の前面における前記遊技領域内に設けられた枠部材と、
前記枠部材の下枠内側辺部を構成し、前記枠部材に囲まれた内部空間に入球した遊技球を左右に転動させる光透過性を有する転動面が形成されたステージ部と、
シート状に成形され、所定意匠が印刷された表面を前記転動面の裏面に沿わせて設けられたシート部材と、を備えることを特徴とする弾球遊技機。
【請求項２】
前記シート部材が、前記転動面の裏面側に着脱自在に取り付けられることを特徴とする請求項１に記載の弾球遊技機。
【請求項３】
前記シート部材が、前記転動面の裏面に一体成形されていることを特徴とする請求項１に記載の弾球遊技機。
【請求項４】
前記遊技盤の後面側に設けられ、前記遊技領域内に形成された表示用開口を通して前記遊技盤の前面側に向けて遊技の進行に応じた演出画像を表示させる表示装置を有し、
前記枠部材が、前記遊技盤の前面において前記表示用開口を取り囲んで設けられていることを特徴とする請求項１〜３のいずれかに記載の弾球遊技機。
【発明の詳細な説明】
【技術分野】
【０００１】
本発明は、前面に遊技領域が形成された遊技盤を有して構成された弾球遊技機に関する。
【背景技術】
【０００２】
パチンコ機に代表される弾球遊技機は、遊技盤の後面側に、遊技領域内に形成された開口を通して前面側に向けて遊技の進行に応じた演出画像を表示させる表示装置を有して構成されている。
【０００３】
遊技盤の前面には、開口を取り囲んで設けられた枠部材を有する遊技構成部材によって表示装置の周囲が装飾されている。この種の遊技構成部材として、枠部材の外部領域から枠部材の内部領域に遊技球を導くワープ通路と、枠部材の下枠内側辺部を構成してワープ通路からの遊技球を左右に転動させた後に下方に落下させるステージ部とを備えたものが知られている（例えば、特許文献１参照）。一般にステージ部の左右中央部の下方には始動入賞装置等の入賞装置が配置され、ステージ部からの落下位置によっては遊技展開が有利なものに変化する可能性があるため、この遊技構成部材は、特にステージ部において、遊技者により注目される部品の一つとなっている。
【０００４】
【特許文献１】特開２００６−２８８７０２号公報
【発明の開示】
【発明が解決しようとする課題】
【０００５】
上記構成の遊技構成部材に対しては、特にステージ部において、装飾性や視覚的な演出効果を高めるように構成することが課題になっている。
【０００６】
本発明は、このような問題に鑑みてなされたものであり、装飾性や演出効果の高い弾球遊技機を提供することを目的とする。
【課題を解決するための手段】
【０００７】
上記目的達成のため、本発明に係る弾球遊技機は、前面に入賞装置を含む遊技構成部材が設けられて遊技領域が形成された遊技盤を有して構成され、遊技領域内に投入される遊技球が入賞装置に入賞したことに応じて遊技球を賞球として払い出す遊技を行う弾球遊技機において、遊技構成部材として、枠状に形成され、遊技盤の前面における遊技領域内に設けられた枠部材と、枠部材の下枠内側辺部を構成し、枠部材に囲まれた内部空間に入球した遊技球を左右に転動させる光透過性を有する転動面が形成されたステージ部と、シート状に成形され、所定意匠が印刷された表面を転動面の裏面に沿わせて設けられたシート部材と、を備えている。
【０００８】
なお、シート部材が、転動面の裏面側に着脱自在に取り付けられることが好ましい。また、シート部材を、転動面の裏面に一体成形してもよい。また、遊技盤の後面側に設けられ、遊技領域内に形成された表示用開口を通して遊技盤の前面側に向けて遊技の進行に応じた演出画像を表示させる表示装置を有し、枠部材を、遊技盤の前面において表示用開口を取り囲んで設けることが好ましい。
【発明の効果】
【０００９】
以上のように構成される本発明に係る弾球遊技機によると、遊技球を転動させるステージ部を有した遊技構成部材において、転動面の裏側に所定の意匠が施されたシート部材を配置している。この転動面は光透過性を有している（すなわち、透明・半透明になっている）ため、この転動面の上側から裏面側にあるシート部材に施された意匠を視認可能になっている。この意匠に対して機種ごとに最適なデザインを行うなどして、装飾性の高い遊技構成部材を提供することができるようになる。なお、このように装飾性を高めるためのシート部材は、転動面の裏面側に配置されており、転動面上での遊技球の転動に対して何ら妨げとならない。
【００１０】
なお、転動面の裏面側にシート部材を着脱自在に構成することにより、この遊技構成部材におけるシート部材以外の構成部品を異なる機種間で共通にすることができ、遊技機の製造コストを抑えることができる。また、遊技機の廃棄処分時において、シート部材と他の構成部品とを簡単に分別することができ、廃棄コストを抑えることができる。一方、シート部材を一体成形した場合には、製造工程を簡略にすることができるようになる。また、表示用開口を通して遊技の進行に応じた演出画像を表示させる表示装置を設け、枠部材をこの表示用開口を取り囲んで設けることにより、表示装置の画像を表示する部分の周囲が装飾され、装飾性の高い弾球遊技機を提供することができる。
【発明を実施するための最良の形態】
【００１１】
以下、本発明の好ましい実施形態について図面を参照して説明する。まず、図１を参照して本発明に係る弾球遊技機の一例として示すパチンコ機ＰＭの全体構成について概要説明する。ここで、図１にパチンコ機ＰＭの正面図を示している。
【００１２】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの左側縁部に配設された上下のヒンジ機構３ａ，３ｂにより横開き開閉および着脱が可能に取り付けられ、常には右側縁部に設けられた施錠装置４を利用して外枠１に閉鎖施錠された状態で保持される。
【００１３】
前枠２には、前枠２の前側面域に合わせた方形状のガラス扉５と、球皿６ａを正面に設けた下部扉部材６とが、正面左側部に設けられたヒンジ機構７ａ，７ｂ，７ｃを利用して横開き開閉および着脱が可能に組み付けられ、下部扉部材６の正面側においては球皿６ａの右側下部に遊技球の発射操作を行うための操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持される。
【００１４】
遊技盤１０は、板厚19mm程度の積層合板を図示する所定形状に切断およびルータ加工して、所定の図柄が印刷されたセルを貼り付けて成形される化粧板１１を基板として構成されている。化粧板１１の前面には、上下２分割のレール飾り１２，１３がビス止めされており、内側に略円形の遊技領域ＰＡが区画形成され、遊技球発射装置（図示せず）から発射される遊技球を遊技領域ＰＡの上部に導く案内レール面１４，１５が形成される。遊技領域ＰＡの内側には多数本の遊技釘とともに、風車、始動入賞装置１７や大入賞装置１８等の各種入賞装置、後述するセンター飾り１００等の遊技構成部品が取り付けられ、下端部には各入賞装置に入賞することなく遊技領域ＰＡを転動落下した遊技球を回収するためのアウト口１９が設けられる（図６参照）。なお、この遊技領域ＰＡは、常には閉鎖保持されるガラス扉５を通して前面側から視認可能になっている。
【００１５】
以上のように構成されたパチンコ機ＰＭは、前枠２、ガラス扉５および下部扉部材６がともに閉止され施錠された状態で遊技に供され、球皿６ａに遊技球を貯留させて操作ハンドル８を回動操作することにより遊技が開始される。操作ハンドル８が回動操作されると、球皿６ａに貯留された遊技球が打球発射装置により１球ずつ遊技盤１０の遊技領域ＰＡに打ち出され、パチンコゲームが展開される。このパチンコゲームにおいては、遊技領域ＰＡ内を落下移動する遊技球を各入賞装置に遊技球を入球させる弾球遊技が行われ、遊技球が入賞装置に入球すると賞球としての遊技球が球皿６ａに払い出される。遊技球が始動入賞装置１７に入球したときには、大入賞装置１８の入賞口が開放されて遊技球を大入賞装置１８に入球可能な状態になる可能性があり、このような状態になると賞球を得る機会が増えて遊技者にとってゲームの展開が有利になる。
【００１６】
なお、図２に遊技盤１０の背面図を示しており、この図２を参照して遊技盤１０の後面側の構成について簡単に説明する。遊技盤１０の後面側には、パチンコ機ＰＭ全体の制御を行うための主制御基板を有した主基板アセンブリ２０や、遊技展開に応じた演出用の画像を表示するための画像表示装置３０が設けられている。なお、遊技盤１０の中央部には開口１０ａが形成されており、画像表示装置３０は、この開口１０ａを画像が表示される表示部３０ａで覆うようにして設けられ、開口１０ａを通して表示部３０ａを遊技盤１０の前面側から視認可能になっている（図１参照）。
【００１７】
遊技盤１０の後面１０Ｂには、開口１０ａの下方における左右両縁部に主基板取付部材４０，４０が取り付けられており、開口１０ａを取り囲うようにして枠状の表示装置取付部材５０が取り付けられている。主基板アセンブリ２０は、主基板取付部材４０，４０の後面に取り付けられており、主基板取付部材４０，４０を介して遊技盤１０に固定されている。また、画像表示装置３０は、表示装置取付部材５０の後面に取り付けられており、表示装置取付部材５０を介して遊技盤１０に固定されている。
【００１８】
一方、遊技盤１０の前面側においては、図１に示すように開口１０ａを取り囲んで遊技構成部品の一つであるセンター飾り１００が取り付けられており、このセンター飾り１００の左右中央部に対して下方に位置して始動入賞装置１７や大入賞装置１８が取り付けられている。以降では、図１に併せて図３〜図５を参照してセンター飾り１００の構成について説明する。ここで、図３には遊技盤１０を前方から見る斜視図、図４にはセンター飾り１００のステージ部周辺を示す図３の拡大図、図５には図１の矢印V−Vに沿って示す遊技盤１０の断面図を示している。
【００１９】
センター飾り１００は、樹脂材料を用いた射出成形等により一体的に成形された種々の構成部材が組み付けられて構成されており、枠状に成形されて開口１０ａを取り囲んで設けられた枠部１１０と、枠部１１０の左枠内側辺部１１１に設けられ、枠部１１０の外側の遊技領域ＰＡを落下移動している遊技球を取り込んで枠部１１０に囲まれた内側領域（内部空間）１１０ａに導くワープ通路１２１を形成する通路形成部１２０と、枠部１１０の下枠内側辺部１１２を構成し、ワープ通路１２１により内部空間１１０ａに入球した遊技球を左右に転動させた後に下方に落下させるステージ部１３０と、を有している。
【００２０】
枠部１１０には枠外側方向に延びるフランジ部１１５が形成されている。センター飾り１００は、枠部１１０を開口１０ａの内側に嵌め込んでフランジ部１１５を遊技盤１０の前面１０Ｆに当接させた状態にし、フランジ部１１５にビスを挿通して遊技盤１０の前面１０Ｆに固定されている。このようにしてセンター飾り１００が取り付けられ、内部空間１１０ａの内部に画像表示装置３０の表示部３０ａが配置される。枠部１１０は、透明樹脂材料から成形されて光透過性を有しており、表示部３０ａに表示される画像に合わせて点灯制御が行われるように構成された電飾部材が内蔵され、電飾部材の点灯作動を前面側から視認可能になっている。このようにセンター飾り１００により、画像表示装置３０の表示部３０ａの周囲が装飾されている。
【００２１】
ステージ部１３０は、左右に指向するとともに上下に揺れる波状の転動面１３１ａを有した転動部１３１と、転動部１３１の後端を上下に延びる後端壁部１３２と、転動部１３１の前端を下方に延びる前端壁部１３３と、前端壁部１３３の下端部から後方に延びる下端壁部１３４と、を有して枠部１１０の下枠内側辺部１１２を構成している。上記の通りセンター飾り１００は開口１０ａに嵌め込んで取り付けられるが、このとき、ステージ部１３０の下端壁部１３４の下面が開口１０ａの内縁下部に整合される。
【００２２】
転動部１３１の転動面１３１ａは、遊技球（直径約11mm）を転動させることができるだけの前後方向幅を有している。転動部１３１の前端には、上方に切り立った鍔部１３１ｂが設けられている。転動部１３１の転動面１３１ａがこの鍔部１３１ｂと後端壁部１３２とにより前後に囲まれて、転動部１３１の転動面１３１ａ上における遊技球の左右方向の転動が案内される。転動部１３１の転動面１３１ａを転動する遊技球は、この転動面１３１ａに沿って上り下りしながら左右に往復動し、移動速度を低下させて略停止する。
【００２３】
波状に形成される転動部１３１は、左右両端部および中央部に上方に隆起した山部１３１Ｕａ，１３１Ｕｂと、その間に下方に凹んだ谷部１３１Ｄａ，１３１Ｄｂとを有している。中央山部１３１Ｕａにおいて転動面には、後方に向かうに連れて下方へ傾斜する傾斜溝１３１ｃが形成されている。なお、後端壁部１３２には、この傾斜溝１３１ｃの後端に繋がる球通路１３５が形成されており、この球通路１３５は、前端壁部１３３において中央山部１３１Ｕａの直下に形成された開口１３３ａに繋がっている。このため、転動部１３１の転動面１３１ａを転動した遊技球のうち、中央山部１３１Ｕａで略停止した遊技球は、この傾斜溝１３１ｃに案内されて後方に導かれ、球通路１３５を通って前端壁部１３３の開口１３３ａから下方に落下する。この開口１３３ａの直下には始動入賞装置１７が配置されているため、開口１３３ａから落下した遊技球のほとんどが始動入賞装置１７に入球する。
【００２４】
一方、左右の谷部１３１Ｄａ，１３１Ｄｂにおいて転動面には、前方に向かうに連れて下方へ傾斜する傾斜溝１３１ｄが形成されている。なお、この傾斜溝１３１ｄの前端においては上記の鍔部１３１ｂが省略されている。このため、転動部１３１の転動面１３１ａを転動した遊技球のうち、谷部１３１Ｄａ，１３１Ｄｂで略停止した遊技球は、この傾斜溝１３１ｄに案内されて前方に導かれて下方に落下する。谷部１３１Ｄａ，１３１Ｄｂから落下した遊技球は、各入賞装置１７，１８に入球する可能性が低くなるようにゲージ設定されており、そのほとんどがアウト口１９に入球する。
【００２５】
このように、本構成例のセンター飾り１００においては、転動部１３１で転動する遊技球が略停止される位置に応じて、その後の遊技展開を左右させる構成の遊技構成部品になっている。このため、特に転動部１３１において、遊技者により注目される遊技構成部品の一つとなっている。
【００２６】
ここで、センター飾り１００のステージ部１３０の転動部１３１は、透明な樹脂材から成形されて光透過性を有している。そして、転動部１３１の裏面側には、表面１４０ａに所定意匠が印刷された矩形帯状のセルシート１４０が配設されており、転動部１３１の転動面１３１ａ側からセルシート１４０の表面１４０ａに印刷された意匠を視認可能になっている。このセルシート１４０についても、透明な樹脂フィルムを基材としてシート状に成形されたものであり光透過性を有している。なお、表面１４０ａには、例えばパチンコ機ＰＭの機種をモチーフにした意匠が適宜印刷される。これにより、遊技者により注目される遊技構成部品の一つであるセンター飾り１００のステージ部１３０に対し、従来よりも装飾性を高めることができるようになる。
【００２７】
なお、転動部１３１の裏面１３１ｅから所定間隔だけ下方に離れた位置において、後端壁部１３２の前端面から前方に突出してリブ１３２ｂが設けられており、また、同様にして前端壁部１３３の後端面から後方に突出してリブ１３３ｂが設けられている。セルシート１４０は、これら２つのリブ１３２ｂ，１３３ｂの上面と、転動部１３１の裏面１３１ｅとに囲まれた空間１３６内に、表面１４０ａを上方に向けた状態にして、転動部１３１の左端に形成される空間１３６の開口から着脱自在に挿入配設されている。
【００２８】
そして、後端壁部１３２の後端面１３２ｃには、ＬＥＤを点灯させるための回路が設けられた左右に延びるＬＥＤ基板１５０が固定されている。ＬＥＤ基板１５０上には上部および下部のそれぞれに複数のＬＥＤが左右に並んで前方に突出して立設されており、そのＬＥＤ１５１，１５２が後端壁部１３２に形成された貫通孔１３２ｄ内に挿入されて設けられている。この孔１３２ｄ内にＬＥＤ１５１，１５２が挿入されることにより、ＬＥＤ基板１５０の上部に取り付けられた上部ＬＥＤ１５１からの照明光は、転動部１３１の転動面１３１ａよりも上方において前方に向けて照明する。後端壁部１３２の前端面１３２ａには、転動面１３１ａよりも上方に位置して前面側に露出している部分において、複数の孔を有した板金部材１５５が取り付けられている。上部ＬＥＤ１５１からの照明光はこの孔を通り、遊技者はこの上部ＬＥＤ１５１の点灯作動を遊技盤１０の前面側から視認可能になっている。ＬＥＤ基板１５０の下部に取り付けられた下部ＬＥＤ１５２からの照明光は、転動部１３１の裏面１３１ｅと、後端壁部１３２の前端面と、前端壁部１３３の後端面と、下端壁部１３４の上面とにより囲まれた空間内を照明する。この空間内に照明光が照射されることにより、セルシート１４０の裏面側から表面側に下部ＬＥＤ１５２の照明光が透過するようになっている。したがって、遊技者には、下部ＬＥＤ１５２の点灯時には、非点灯時に比べて転動面１３１ａが明るく見えるようになる。
【００２９】
ここで、上記の通りＬＥＤ基板１５０上には複数の下部ＬＥＤ１５２が左右に並んで設けられているが、これら下部ＬＥＤ１５２は異なる２色以上の点灯色の照明を行うことができるように構成されている。そして、セルシート１４０の表面１４０ａには、点灯色に応じて表面側に照明光を透過する部分が異なるように上記の所定意匠が印刷されている。
【００３０】
以上のように構成される本構成例のステージ部１３０によると、転動部１３１の裏面側に表面に所定の意匠が印刷されるセルシート１４０が容易に着脱自在に取り付けられる構造になっている。このため、セルシート１４０の表面１４０ａに印刷される意匠のみを変更することで、異なる機種間でセンター飾り１００に係る構成部品のうちセルシート１４０以外の部品について共通にすることができ、また、セルシート１４０とセルシート１４０以外の部品との分別回収が容易になる。したがって、製造コストおよび廃棄コストを抑えることができる。また、所定意匠が施されたセルシートを着脱自在に設けて上記各効果が得ているが、このセルシートが転動部１３１における裏面側に配置されているため、転動面１３１ａ上での遊技球の転動に対して何ら妨げとならず、安定した弾球遊技が展開される。
【００３１】
また、ステージ部１３０を構成する後端壁部１３２にＬＥＤ基板１５０を固定し、ＬＥＤ基板１５０に立設された下部ＬＥＤ１５２によりセルシート１４０の裏面側から照明を行うように構成されている。この照明により、セルシート１４０の表面１４０ａ側においては点灯時と非点灯時とで転動面１３１ａの見え方を相違させることができ、ステージ部１３０の装飾性をさらに高めることができるようになる。また、遊技展開に応じた下部ＬＥＤ１５２の点灯制御を行うことにより、視覚的な演出効果を高めることができる。特に、始動入賞装置１７に遊技球が入球したときに画像表示装置３０の表示部３０ａに表示される演出用の画像に合わせて下部ＬＥＤ１５２の点灯制御を行うことにより、当たり抽選に対して視覚的な演出を行うステージ部１３０を提供することができ、画像表示装置３０の表示部３０ａにおいて行われる演出制御と合わせて全体として視覚的な演出効果の高いパチンコ機ＰＭを提供することができるようになる。
【００３２】
さらに、点灯色に応じてセルシート１４０の表面１４０ａ側に透過される部分が異なるように意匠が印刷されているため、遊技展開に応じて異なる色でＬＥＤを点灯させる制御を行うことにより、転動面１３１ａの見え方を大きく変化させることができるようになり、視覚的な演出効果をより高めることができるようになる。
【００３３】
なお、セルシート１４０を着脱自在に取り付けるための構造は、図５に示す構成に限られない。図６には、セルシート１４０を取り付けるための構造に対する変更例を示しており、図６を参照してこの変更例について説明する。この変更例においては、前端壁部２３３の後端面から、転動部１３１の裏面１３１ｅから所定間隔だけ下方に離れた位置において、前端壁部２３３の後端面から後端壁部２３２の後端面２３２ｃをなす位置まで後方に突出するリブ２３３ｂが形成されており、囲まれた空間２３６が形成されている。この空間２３６は、後端壁部の後端面に開放されており、この後端面には、左右に筋状に延びる開口２３２ｅが形成されている。このように構成されるステージ部１３０においては、セルシート１４０を表面１４０ａが上方に向いた状態にして後端壁部２３２に形成された開口から空間内に着脱自在に挿入配設することができる。このような構造においても、ステージ部１３０に対してセルシート１４０を容易に着脱自在に取り付けることができ、上記と同様の効果が得られる。
【００３４】
また、この図６に示す構成においては、ＬＥＤ基板２５０の取り付けを変更している。このＬＥＤ基板２５０は、下端壁部２３４の上面２３４ａに取り付けられており、ＬＥＤ基板２５０から上方にＬＥＤ２５２が突出して設けられている。このＬＥＤ２５２が点灯作動すると、ＬＥＤ２５２からの照明光は、図５に示す下部ＬＥＤ１５２と同様にして、後端壁部２３２と、転動部２３１の裏面２３１ｅと、後端壁部２３２の前端面と、前端壁部２３３の後端面とに囲まれた空間内を照明する。なお、この空間は、リブ２３２ａによって上下に仕切られているが、このリブ２３２ａについても透明樹脂材料から成形されており、ＬＥＤ２５２からの照明光を空間２３６側に透過させてセルシート１４０を裏面側から照明することができる。そして、この照明光は上記のようにしてセルシート１４０の表面側に透過されるため、ＬＥＤ２５２の点灯時と非点灯時とで転動部１３１の見え方を相違させることができるようになる。このように、ＬＥＤ基板についても、基板に設けたＬＥＤによってセルシート１４０を照明可能な構成であれば、どのようにして取り付けてもよい。
【００３５】
また、セルシートについては、転動部１３１の裏面側に着脱自在に取り付ける構造に限らず、転動部１３１の裏面側に一体成形してもよい。これにより、空間内に挿入配設する工程を省略することができ、パチンコ機ＰＭの製造工程の簡略化に繋がる。なお、セルシートを転動面部１３１の裏面側に設ける構成に限らず、転動面１３１ａ上にセルシートを一体成形したり、転動面１３１ａ上にセルシートを貼り着ける構成としても、同様に装飾性や視覚的な演出効果の高い遊技部品を提供することができる。また、セルシート１４０は必ずしも光透過性を有したものに限らず、必ずしも裏面側から照明される構成に限られない。すなわち、非透明のシート材に意匠を印刷し、光透過性を有する転動面の上面側から例えば図５に示す上部ＬＥＤ１５１等によってシート材の表面側を照明する構成としてもよい。この構造においても、転動面の上面側からこのシート材に施された意匠を視認させることができるとともに、ＬＥＤの点灯時と非点灯時とで意匠の見え方を相違させることができるため、装飾性と視覚的な演出効果の高いセンター飾りを提供することができるようになる。
【００３６】
これまで、本発明に係る弾球遊技機の実施例としてパチンコ機ＰＭを例示したが、アレンジボール機や雀球遊技機など、他の弾球遊技機に対しても本発明を適用可能である。
【００３７】
以上説明した本発明の実施形態において達成される効果を整理すると、次のようになる。第一に、センター飾り１００のステージ部１３０につき、表面１４０ａに所定意匠が印刷されたセルシート１４０を、透明樹脂材料から成形された転動部１３１の裏面に沿うようにして配設しており、表面１４０ａの意匠を転動部１３１の上側から視認可能になっている。これにより、遊技者に注目される遊技構成部品であるセンター飾り１００の装飾効果を高めることができる。しかも、セルシート１４０が着脱自在に配設されており、異なる機種間でセンター飾り１００に係る部品のうちセルシート１４０を除く部品を共通にして製造コストを抑えることができ、分別回収が容易になって廃棄コストを抑えることができる。なお、セルシート１４０を裏面側に配置したことにより転動面上での遊技球の転動に対して何ら妨げとならない。
【００３８】
第二に、セルシート１４０をＬＥＤによって照明するように構成されており、ＬＥＤの点灯時と非点灯時とで転動部１３１ａの見え方を相違させることができるようになっており、このＬＥＤの点灯制御を遊技展開に応じて行わせることにより、視覚的な演出効果の高い遊技構成部品を提供することができるようになる。また、異なる点灯色に対して表面側に透過する部分が異なるように意匠を施すことにより、遊技展開に応じた点灯制御を行うことで転動面１３１ａの見え方を大きく変化させることができるようになり、視覚的な演出効果をより高めた遊技構成部品を提供することができるようになる。
【図面の簡単な説明】
【００３９】
【図１】本発明に係る弾球遊技機の一例として示すパチンコ機の正面図である。
【図２】上記パチンコ機に設けられた遊技盤の背面図である。
【図３】上記遊技盤を前方から見た斜視図である。
【図４】センター飾りのステージ部周辺を示す斜視図である。
【図５】図１の矢印V−Vに沿って示す遊技盤の断面図である。
【図６】セルシートの取付構造およびＬＥＤ基板の取付構造の変更例を示す遊技盤の断面図である。
【符号の説明】
【００４０】
ＰＭ  パチンコ機
ＰＡ  遊技領域
１０  遊技盤
１０ａ  開口
３０  画像表示装置
３０ａ  表示部
５０  表示装置取付部材
１００  センター飾り
１１０  枠部
１２０  通路形成部
１３０  ステージ部
１３１  転動部
１３１ａ  転動面
１３２  後端壁部
１３３  前端壁部
１３５  球通路
１４０  セルシート
１５０  ＬＥＤ基板
１５１  上部ＬＥＤ
１５２  下部ＬＥＤ
【図１】
2008161359.tif 000003
【図２】
2008161359.tif 000004
【図３】
2008161359.tif 000005
【図４】
2008161359.tif 000006
【図５】
2008161359.tif 000007
【図６】
2008161359.tif 000008